(57)【要約】      （修正有）【課題】コンピュータの外に設けられた操作装置の使用時に、使用者が随時ショートカットキーの応用プログラムを持つリモート操作システムを提供する。【解決手段】リモートサーバー１０、コンピュータ装置２０及び操作装置３０を備える。リモートサーバーは、第１のリモート通信モジュール１０１及び記憶ユニット１０３を備える。記憶ユニットは、第１のリモート通信モジュールに電気接続され、且つ、少なくともマクロ命令１０３１及び高速プログラム１０３３を記憶する。コンピュータ装置は、輸送ポート２０３及び第２のリモート通信モジュール２０１を備える。第２のリモート通信モジュールは、第１のリモート通信モジュールに電気接続されると共に、リモートサーバーからのマクロ命令及び／又は高速プログラムを受ける。操作装置は、操作具３０１及び輸送インタフェース３０３を備える。【選択図】図１
0003192299.tif 000002
【実用新案登録請求の範囲】
【請求項１】
第１のリモート通信モジュールと、前記第１のリモート通信モジュールに電気接続され、且つ少なくともマクロ命令及び高速プログラムを記憶した記憶ユニットとを有するリモートサーバーと、
輸送ポートと、前記リモートサーバーの前記第１のリモート通信モジューに電気接続されると共に、前記リモートサーバーからの前記マクロ命令及び/又は前記高速プログラムを受ける第２のリモート通信モジュールとを有するコンピュータ装置と、
操作信号を発生するための操作具と、前記操作具及び前記コンピュータ装置の輸送ポートのそれぞれに電気接続される輸送インタフェースとを有する操作装置と、を備えることを特徴とするリモート操作システム。
【請求項２】
前記操作装置は、更に、その内に前記マクロ命令が記憶されたニーモンと、前記操作具、前記輸送インタフェース及び前記ニーモンに電気接続される制御ユニットと、を備える、請求項１に記載のリモート操作システム。
【請求項３】
前記マクロ命令は、機能命令、キー設定値又は複数の機能命令の集合である、請求項１に記載のリモート操作システム。
【請求項４】
前記高速プログラムは、前記操作具に対応するマクロ命令編集ソフト又はプログラムである、請求項１に記載のリモート操作システム。
【請求項５】
前記操作具は、キー、ローラー、機能キー、数字キー、方向キー、又はショートカットキーである、請求項１に記載のリモート操作システム。
【請求項６】
前記操作装置は、マウス、キーボード、又はスタイラスである、請求項１に記載のリモート操作システム。
【請求項７】
前記輸送インタフェース及び前記輸送ポートは、互いに対応するＵＳＢ輸送インタフェース又はＩＥＥＥ輸送インタフェースである、請求項１に記載のリモート操作システム。
【請求項８】
前記第１のリモート通信モジュール及び前記第２のリモート通信モジュールは、それぞれ、互いに対応するＷＩ−ＦＩ輸送トランシーバー、ネットワークコネクタ、光ファイバー輸送トランシーバー、又はケーブル輸送トランシーバーである、請求項１に記載のリモート操作システム。
【請求項９】
前記リモートサーバーにワイヤレスで接続される第３のリモート通信モジュールを有する手持ち式の電子装置をさらに備える、請求項１に記載のリモート操作システム。
【請求項１０】
前記手持ち式の電子装置は、携帯、タブレットパソコン又はパーソナルデジタルアシスタント（ＰＤＡ）である、請求項９に記載のリモート操作システム。
【請求項１１】
前記リモートサーバーは、ファイルサーバー、応用プログラムサーバー、又はクラウドサーバーである、請求項１に記載のリモート操作システム。
【考案の詳細な説明】
【技術分野】
【０００１】
本考案は、リモート操作システムに関り、特に、コンピュータの外に設けられる操作装置のリモート操作システムに関る。
【背景技術】
【０００２】
従来のコンピュータにおいて、コンピュータの外に設けられる操作装置は、主に、キーボードとマウスである。コンピュータ操作システム及びコンピュータゲームが引き続き進歩、改良されるので、使用者がコンピュータを使用、コンピュータゲームを実行する際に、操作及び制御できる機能が益々多くなり、制御の必要となる機能が一定の数を超えてしまうと、段々使用しにくくなり、このため、マウスとキーボードの機能及び構造が常に改良、発展される。
【０００３】
例えば、コンピュータシステムが最初、単純な文字符号から更なる通信輸入に変わり、その特徴が、マウスとキーボードが単純な輸入インタフェースでないものに発展され、さらにパーソナル化の機能設定が加えられたものであり、コンピュータ使用時の便利性を増加することである。マウスとキーボードには、さらに少なくともショートカットキーが設計され、ショートカットキーが速やかに対応のソフトを開け、又はコンピュータが特定の作動を行うようにできるが、このようなショートカットキーの設計が、主に、マウス及びキーボードのショートカットキーに対して定義及び複写を行う高速プログラムで相関の設定を行い、ショートカットキーが異なる機能を発揮するようにできる。
【０００４】
ショートカットキーの定義は、使用者の使用方式に応じて異なる企画及び設計を行うと共に、各マクロ命令を発生し、このようなマクロ命令が各複雑な実行命令又は輸入信号を含み、使用者がマウスとキーボードでのショートカットキーでコンピュータに記憶されたショートカットキーに対応のマクロ命令を実行し、使用者の予め定義しておいたショートカットキーへの機能効果が達成される。然しながら、公共コンピュータをよく使用する使用者又はゲームプレーヤーにとっては、自己手持ちの専用のマウス又はキーボードに慣れてきているので、異なるコンピュータを使用すると、マウス及びキーボードのショートカットキー付きの応用プログラムを手持たなければならず、異なるコンピュータに改めて輸入し、そのコンピュータシステムを随時操作できる。さらに、使用者は、マウス及びキーボードのショートカットキーに対応のマクロ命令を繰り返して設定すると共にコンピュータに記憶する必要があり、これらの使用モードが使用者にとって相当不便であり、改善の空間がある。
【先行技術文献】
【特許文献】
【０００５】
【特許文献１】特開２００７−１７４２１５号公報
【考案の概要】
【考案が解決しようとする課題】
【０００６】
本考案は、上記の問題を解決するためになされたものであり、その目的が、コンピュータの外に設けられた操作装置の使用時に、使用者が随時ショートカットキーの応用プログラムを持つと共に、改めて輸入する及び改めてショートカットキーを設定することによる不便を解決できるリモート操作システムを提供することである。
【課題を解決するための手段】
【０００７】
本考案に係るリモート操作システムは、リモートサーバー、コンピュータ装置及び操作装置を備える。リモートサーバーは、第１のリモート通信モジュール及び記憶ユニットを備える。記憶ユニットは、第１のリモート通信モジュールに電気接続され、且つ、少なくともマクロ命令及び高速プログラムを記憶する。コンピュータ装置は、輸送ポート及び第２のリモート通信モジュールを備える。前記第２のリモート通信モジュールは、リモートサーバーの第１のリモート通信モジューに電気接続されると共に、リモートサーバーからのマクロ命令及び/又は高速プログラムを受ける。操作装置は、操作具及び輸送インタフェースを備える。操作具は、操作信号を発生するためものである。輸送インタフェースは、操作具及びコンピュータの輸送インタフェースに電気接続され、操作信号をコンピュータ装置に輸送するためのものである。輸送ポートが操作信号を受けた際に、コンピュータ装置が操作信号に応じて、リモートサーバーからのマクロ命令及び高速プログラムを実行する。
【０００８】
具体的な実施例において、リモート操作システムは、さらに、ニーモンと、制御ユニットとを備える。制御ユニットは、操作具、輸送インタフェース及びニーモンに電気接続される。ニーモンの内にマクロ命令が記憶される。
【０００９】
具体的な実施例において、マクロ命令は、機能命令、キー設定値又は複数の機能命令の集合である。
【００１０】
具体的な実施例において、高速プログラムは、操作具に対応するマクロ命令編集ソフト又はプログラムである。
【００１１】
具体的な実施例において、操作具は、キー、ローラー、機能キー、数字キー、方向キー、又はショートカットキーである。
【００１２】
具体的な実施例において、操作装置は、マウス、キーボード、又はスタイラスである。
具体的な実施例において、輸送インタフェース及び輸送ポートは、互いに対応するUSB輸送インタフェース又はＩＥＥＥ輸送インタフェースである。
【００１３】
具体的な実施例において、第１のリモート通信モジュール及び第２のリモート通信モジュールは、それぞれ、互いに対応するＷＩ−ＦI輸送トランシーバー、ネットワークコネクタ、光ファイバー輸送トランシーバー、又はケーブル輸送トランシーバーである。
【００１４】
具体的な実施例において、リモート操作システムは、手持ち式の電子装置をさらに備える。手持ち式の電子装置は、リモートサーバーにワイヤレスで接続される第３のリモート通信モジュールを有する。
【００１５】
具体的な実施例において、手持ち式の電子装置は、携帯、タブレットパソコン又はパーソナルデジタルアシスタント（ＰＤＡ）である。具体的な実施例において、リモートサーバーは、ファイルサーバー、応用プログラムサーバー、又はクラウドサーバーである。
【図面の簡単な説明】
【００１６】
【図１】本考案に係るリモート操作システムのブロック概略図である。
【図２】本考案に係る他のリモート操作システムのブロック概略図である。
【図３】本考案に係るリモート操作システムの第１の具体的な構造概略図である。
【図４】本考案に係るリモート操作システムの第２の具体的な構造概略図である。
【考案を実施するための形態】
【００１７】
以下、図面を合わせて、本考案の具体的な実施形態を詳しく説明する。まず、図１及び図３は、それぞれ、本考案に係るリモート操作システムのブロック概略図及び第１の具体的な構造概略図である。本考案の第一実施例において、図１に示すように、リモート操作システムは、リモートサーバー１０、コンピュータ装置２０及び操作装置３０を備える。リモートサーバー１０は、第１のリモート通信モジュール１０１及び記憶ユニット１０３を備える。記憶ユニット１０３は、第１のリモート通信モジュール１０１に電気接続され、且つ、少なくともマクロ命令１０３１及び高速プログラム１０３３を記憶する。記憶ユニット１０３に記憶されたマクロ命令１０３１は、たとえば、機能命令、キー設定値、又は複数の機能命令の組合せである。高速プログラム１０３３は、操作装置３０における操作具３０１に対応するマクロ命令編集ソフト又はプログラムであり、マクロ命令１０３１を編集するためものである。本実施例におけるリモートサーバー１０は、さらに、処理ユニット１０２を備え、たとえば、第１のリモート通信モジュール１０１及び記憶ユニット１０３のそれぞれに電気接続され、リモートサーバーにおける第１のリモート通信モジュール１０１及び記憶ユニット１０３の作動を制御するための中央処理ユニットを備える。
【００１８】
コンピュータ装置２０は、輸送ポート２０３及び第２のリモート通信モジュール２０1を備える。第２のリモート通信モジュール２０1は、リモートサーバー１０の第１のリモート通信モジュール１０１に電気接続されることが可能である。コンピュータ装置２０は、さらに、制御ユニット２０２を備え、たとえば、第２のリモート通信モジュール２０1及び輸送ポート２０３のそれぞれに電気接続され、第２のリモート通信モジュール２０1及び/又は輸送ポート２０３の作動を制御するための中央処理ユニットを備える。
【００１９】
操作装置３０は、操作具３０１及び輸送インタフェース３０３を備える。操作具３０１は、操作信号３０１５を発生するためものである。輸送インタフェース３０３は、操作具３０１及びコンピュータ２０の輸送インタフェース２０３に電気接続され、操作信号３０１５をコンピュータ装置２０に輸送するためのものである。輸送ポート２０３が操作信号３０１５を受けた際に、コンピュータ装置２０が操作信号３０１５に応じて、リモートサーバー１０に記憶されたマクロ命令１０３１及び高速プログラム１０３３を実行する。
【００２０】
更に具体的には、図３に示すように、リモートサーバー１０は、例えば、ファイルサーバー、応用プログラムサーバー、及び/又はクラウドサーバーである。第１のリモート通信モジュール１０１、第２の通信モジュール２０1は、互いに対応できるＷＩ−ＦI輸送トランシーバー、ネットワークコネクタ、光ファイバー輸送トランシーバー、又はケーブル輸送トランシーバーであってもよい。これにより、第１のリモート通信モジュール１０１と第２の通信モジュール２０１は、ワイヤード又はワイヤレスで電気接続される。コンピュータ装置２０は、デスクトップコンピュータであるが、これに限らず、ノートパソコン、タブレットパソコン又は携帯であってもよい。操作装置３０は、マウスであるが、これに限らず、例えば、スタイラス又はキーボードであってもよい。操作装置３０の操作具３０１は、キー又はローラーであってもよい。本実施例において、キー３０１（一種類だけ図示）である。輸送ポート２０３及び輸送インタフェース３０３は、対応するＵＳＢ輸送インタフェースであるが、これに限らず、ＩＥＥＥ輸送インタフェースであってもよい。
【００２１】
これにより、使用者が操作装置３０を使用すると、操作具３０１が操作されることで操作信号３０１５を発生する。輸送インタフェース３０３は、操作信号３０１５を操作ポート２０３に輸送する。コンピュータ装置２０の制御ユニット２０２が操作信号３０１５を受けた後に、操作命令２０２５を発生し、第２のリモート通信モジュール２０１がオンラインとなる、又はリモートサーバー１０からのマクロ命令１０３１及び/又は高速プログラム１０３３を受けるようにする。そして、コンピュータ装置２０の制御ユニット２０２は、操作信号３０１５に応じて、リモートサーバー１０のマクロ命令１０３１及び/又は高速プログラム１０３３を実行する。上記の技術及び操作により、使用者が高速プログラム１０３３を常時に持つ必要がなく、且つマクロ命令１０３１を改めて設定する必要がなく、持ち込みの操作装置３０、例えば本実施例のマウスを直接用いて、リモートサーバー１０から直接高速プログラム１０３３及び/又はマクロ命令１０３１をダウンロードしてコンピュータ２０に使用することができる。このため、使用者の使用便利性が向上する。
【００２２】
上記は、本考案の具体的な実施例の一つのみであるが、これに限らず、言い換えると、リモート操作システムがリモートサーバー１０を介して操作装置３０の操作具に対応のマクロ命令１０３１及び/又は高速プログラム１０３３を記憶すれば、使用者が高速プログラムを持つ必要がない効果及び改めてマクロ命令を設定する必要がない効果を達成でき、本考案の基本的な精神を実現できる。以下、参考のように幾つかの具体的な実施例を挙げて説明し、このうち、符号が同じアセンブリ又は部材が同じ又は類似の機能又は構造を示す。下記の実施例は、異なる部分のみを説明する。
【００２３】
図２及び図３に示すように、図２は、本考案の他のリモート操作システムのブロック概略図である。本考案の第二実施例に係るリモート操作システムは、第一実施例と異なるのが、第二実施例に係るリモート操作システムの操作装置３０のマウスに（図３に示すように）図２に示すニーモン３０４と制御ユニット３０２を更に備える。制御ユニット３０２は、操作具３０１、輸送インタフェース３０２及びニーモン３０４に電気接続されるが、ニーモン３０４にリモートサーバー１０の少なくともマクロ命令１０３１を記憶できる。ニーモン３０４は、例えば、コピー可能な読み取り専用メモリ又はフラッシュメモリである。制御ユニット３０２は、例えば、マイクロプロセッサーである。これにより、操作装置３０は、リモートサーバー１０のマクロ命令１０３１を記憶すると共に、操作装置３０における制御ユニット３０２を介して、輸送インタフェース３０３にてマクロ命令１０３１をコンピュータ装置２０又は他のコンピュータ装置に輸送する。このため、使用者が他のコンピュータ装置（図示せず）にて操作装置３０を使用しようとすれば、マクロ命令１０３１を改めて編集する必要がなく、操作装置３０に記憶されたマクロ命令１０３１を前記他のコンピュータ装置に直接、輸送することで使用できる。さらに、リモートサーバー１０におけるマクロ命令１０３１が失われた場合、操作装置３０に内蔵されたマクロ命令１０３１をバックアップとして使用できる。また、使用者は、コンピュータ装置２０を介してインターネットに接続すれば、リモートサーバー１０及び操作装置のマクロ命令１０３１を同期して編集又は記憶できる。
【００２４】
本考案は、上記に限らず、図２及び図３に示すように、第三実施例と第二実施例の差別が、リモート操作システムが更に手持ち式の電子装置４０（図に点線のブロックで示す）を備えることにある。手持ち式の電子装置４０は、例えば図３に示すようなタブレットパソコン、又はパーソナルデジタルアシスタント（ＰＤＡ）である。更に具体的には、手持ち式の電子装置４０は、第３のリモート通信モジュール４０１、処理ユニット４０２及び表示ユニット４０３を備える。第３のリモート通信モジュール４０１とリモートサーバー１０は、ワイヤード又はワイヤレスで電気接続される。例えば、実施例において、第３のリモート通信モジュール４０１と第１のリモート通信モジュール１０１とは、それぞれ、互いに対応できるＷＩ−ＦＩ輸送トランシーバー、又は、互いに対応できる３Ｇオンライン・トランシーバーである。他の実施例において、リモートサーバー１０は、第３のリモート通信モジュール４０１とワイヤレスで連続するように他のリモート通信モジュール（図示せず）又は第１のリモート通信モジュール１０１を備える。処理ユニット４０２は、それぞれ、第３のリモート通信モジュール４０１及び表示ユニット４０３に電気接続されると共に、第３のリモート通信モジュール４０１及び表示ユニット４０３の作動を制御する。処理ユニット４０２は、第３のリモート通信モジュール４０１がリモートサーバー１０の記憶ユニット１０３からの高速プログラム１０３３及び/又はマクロ命令１０３１を受けるようにする。表示ユニット４０３は、例えば、表示画面である。手持ち式の電子装置４０の処理ユニット４０２は、表示ユニット４０３が編集の状況を表示するようにする。これにより、使用者は、手持ち式の電子装置４０内にダウンロードした高速プログラム１０３３でマクロ命令１０３１を編集できる。処理ユニット４０２についても、編集されたマクロ命令１０３１の情報をアップロードし、リモートサーバー１０の記憶ユニット１０３に記憶する。これにより、使用者は、手持ち式の電子装置４０にて直接、マクロ命令１０３１を編集できるのみならず、リモートサーバー１０のマクロ命令１０３１を同期して記憶又は編集できる。
【００２５】
図４は、本考案に係るリモート操作システムの他の具体的な構造概略図である。上記第一乃至第三実施例に係る操作装置３０は、何れもマウスを例として説明したが、これらに限らず、例えば図４に示すように、操作装置３０がキーボードであってもよい。手持ち式の電子装置４０は、図４に示す携帯であってもよい。図４に示すように、操作装置３０は、キーボードであり、操作具３０１は、キーであり、例えば、機能キー、数字キー、方向キー、又はショートカットキーである。
【００２６】
上述したのは、本考案の好適な実施形態のみである。本考案の範囲は、上記実施形態に限らないものである。当業者は、本考案の精神に基づいてなされた変更が、何れも請求の範囲に含まれるものと理解されるべきである。
【符号の説明】
【００２７】
１０：リモートサーバー
１０１：第１のリモート通信モジュール
１０２：処理ユニット
１０３：記憶ユニット
１０３1：マクロ命令
１０３３：高速プログラム
２０：コンピュータ装置
２０２：第２のリモート通信モジュール
２０２：制御ユニット
２０２５：操作命令
２０３：輸送ポート
３０：操作装置
３０１：操作具
３０１５：操作信号
３０２：制御ユニット
３０３：輸送インタフェース
３０４：ニーモン
４０：手持ち式の電子装置
４０１：第３のリモート通信モジュール
４０２：処理ユニット
４０３：表示ユニット
【図１】
0003192299.tif 000003
【図２】
0003192299.tif 000004
【図３】
0003192299.tif 000005
【図４】
0003192299.tif 000006